(57)【要約】本発明は、酸素及び塩素を含有するガスストリームＩから塩素を分離する方法において、ガスストリームＩをカラムＫ１の下部に供給し、分離して供給された液体、塩化水素ストリームＩＩを前記カラムの上部に供給し、上昇するガスストリームＩを下降する液体ストリームＩＩに接触させ、かつ、ストリームＩから塩素を凝縮し及びストリームＩＩから塩化水素を気化して塩化水素及び酸素を含有するほぼ塩素を含まないガスストリームＩＩＩと塩素を含有する液体ストリームＩＶとを生成する。【選択図】図２
2014510009.tif 000002
【特許請求の範囲】
【請求項１】
酸素及び塩素を含有するガスストリームＩから塩素を分離する方法において、
ガスストリームＩをカラムＫ１の底部に供給し、
分離して供給される液体、塩化水素ストリームＩＩを前記カラムの上部に供給し、
上昇するガスストリームＩを下降する液体ストリームＩＩに接触させ、
かつ、ストリームＩから塩素を凝縮し及びストリームＩＩから塩化水素を気化して塩化水素及び酸素を含有するほぼ塩素を含まないガスストリームＩＩＩと塩素を含有する液体ストリームＩＶとを生成することを特徴とする方法。
【請求項２】
液体ストリームＩＶを第２カラムＫ２の下部に供給し、さらに分離して供給される液体塩化水素ストリームＶを前記カラムの上部に供給し、塩化水素及び酸素を含有するほぼ塩素を含まないガスストリームＶＩと実質的に塩素を含有する液体ストリームＶＩＩとを得ることを特徴とする請求項１に記載の方法。
【請求項３】
カラムＫ１からのストリームＩＩＩ及び任意にカラムＫ２からのストリームＶＩを熱交換器に用い、酸素及び塩素を含有するガスストリームＩを予め冷却することを特徴とする請求項１に記載の方法。
【請求項４】
液体ストリームＩＶを第２カラムＫ２に供給して塩化水素及び酸素を含有するガスストリームＶＩに分離し、ほぼ塩素からなる液体ストリームＶＩＩ及びストリームＶＩをカラムＫ１の下部に供給し、カラムＫ２はカラムＫ１よりも高圧で稼働させることを特徴とする請求項１に記載の方法。
【請求項５】
カラムＫ１は濃縮セクション及び除去セクションを備え、カラムの中間部分の濃縮セクションと除去セクションとの間にガスストリームＩを供給し、分離して供給される液体塩化水素ストリームＩＩをカラムの頂部に供給し、カラムの濃縮セクションにおいて上昇するガスストリームＩを下降する液体ストリームＩＩに接触させて塩化水素及び天井排出ストリームとしての酸素を含有する本質的に塩素のないガスストリームＩＩＩと底部排出ストリームとしての塩素から実質的になる液体ストリームＩＶとを生成することを特徴とする請求項１に記載の方法。
【請求項６】
酸素及び塩素を含有するガスストリームＩを熱交換器中の液体塩化水素によって予め冷却することを特徴とする請求項１に記載の方法。
【請求項７】
ガスストリームＩは、酸素、及び塩化水素と二酸化炭素とあるいはさらに不活性ガスとを含有する塩素を含有することを特徴とする請求項１に記載の方法。
【請求項８】
塩化水素から塩素を製造する方法であって、
ａ）塩化水素を含有するストリームａ１及び酸素を含有するストリームａ２を酸化領域に導入し、及び塩化水素を塩素とする触媒酸化を行い、塩素、水、酸素、二酸化炭素及び不活性ガスを含有する生成ガスストリームａ３を供給し、
ｂ）相接触装置で生成ガスストリームａ３と水性の塩酸とを接触させ、ストリームａ３からの水と塩化水素とを少なくとも部分的に分離し、塩化水素、塩素、水、酸素、二酸化炭素及び場合により不活性ガスを含有するガスストリームｂを残し、
ｃ）ガスストリームｂを乾燥して、塩化水素、塩素、酸素、二酸化炭素及び場合により不活性ガスを含有するほぼ水を含まないガスストリームｃを残し、
ｄ）任意に、ガスストリームｃを圧縮及び冷却し、圧縮または冷却、あるいは圧縮及び冷却されたガスストリームｃを供給し、
ｅ）カラムＫ１の下部にガスストリームｃを導入し、かつ同じカラムＫ１の上部に分離的に供給された液体の塩化水素ストリームｅを導入し、上昇するガスストリームｃと下降する液体ストリームｅとを接触させるとともに、ストリームｃからガス状の塩素を凝縮しかつストリームｅから液体の塩化水素を気化して、塩化水素、酸素、二酸化炭素及び場合により不活性ガス、を含有するほぼ塩素を含まないガスストリームｅ１及び塩素を含有する液体ストリームｅ２を供給し、
ｆ）塩化水素、酸素、二酸化炭素及び場合により不活性ガスを含有するほぼ塩素を含まないガスストリームｅ１の少なくとも一部を酸化段階ａ）に再循環する、
ことを特徴とする方法。
【請求項９】
液体ストリームｅ２を第２カラムＫ２の下部に供給し、さらに分離して供給された液体塩化水素ストリームｅ３を前記カラムの上部に供給し、塩化水素を含有するほぼ塩素を含まないガスストリームｅ４及び実質的に塩素を含有する液体ストリームｅ５を得ることを特徴とする請求項８に記載の方法。
【請求項１０】
カラムＫ１からのストリームｅ１及びカラムＫ２からの任意のストリームｅ４を熱交換器内で用いて、酸素及び塩素を含有するガスストリームｃを予め冷却することを特徴とする請求項８または９に記載の方法。
【請求項１１】
液体ストリームｅ２を第２カラムＫ２に供給し、かつ塩化水素を含有するガスストリームｅ４を分離し、ほぼ塩素からなる液体ストリームｅ５とストリームｅ４とをカラムＫ１の下部に供給し、カラムＫ２はカラムＫ１よりも高圧で稼働させることを特徴とする請求項８〜１０のいずれか１項に記載の方法。
【請求項１２】
酸素及び塩素を含有するガスストリームｃを熱交換器内において液体塩化水素で予め冷却することを特徴とする請求項８〜１１のいずれか１項に記載の方法。
【請求項１３】
塩化水素を含有するストリームｅ１及び任意に塩化水素を含有するストリームｅ４を当該方法の酸化工程ａ）に供給することを特徴とする請求項８〜１２のいずれか１項に記載の方法。
【請求項１４】
塩化水素を含有するストリームまたはストリームｅ１、及び不活性ガスを排出するために酸化工程に導入される前に任意にストリームｅ４から副ストリームを分離することを特徴とする請求項１３に記載の方法。
【請求項１５】
不活性ガスを排出する副ストリームを水または水性塩化水素でスクラブして塩化水素を分離することを特徴とする請求項１４に記載の方法。
【発明の詳細な説明】
【技術分野】
【０００１】
本発明は、酸素及び塩素を含むガスストリームから塩素を分離する蒸留方法、及びこの蒸留方法を含む、塩化水素から塩素を製造する方法に関する。
【背景技術】
【０００２】
塩素または例えばホスゲンといった塩素の下流生成物が用いられる多くの化学的プロセスでは、塩化水素が副生成物として得られる。例えば、イソシアネート類、ポリカーボネート類の調製または芳香族類の塩素化が挙げられる。副生成物として得られた塩化水素は、電気分解または酸素による酸化によって、塩素に再度変換され得る。このようにして生成された塩素は、再度使用される。
【０００３】
１８６８年にディーコンによって明らかにされた塩化水素の触媒的酸化の方法では、塩化水素は、発熱の平衡反応において酸素により酸化されて塩素となる。塩化水素の塩素への変換は、塩素アルカリ電気分解によって水酸化ナトリウムから塩素生成物を分離することを可能とする。このような分離手法は、塩素の必要性が水酸化ナトリウムの必要性よりも強くなっていることから、世界中で関心が高まっている。加えて、塩化水素は、例えばイソシアネートの製造におけるホスゲン化反応中において、共生成物として大量に得られる。イソシアネートの製造において生成される塩化水素は、エチレンを、さらに塩化ビニルを添加し最終的にＰＶＣを添加して処理される１，２−ジクロロエタンへとオキシ塩素化する方法において主に使用される。
【０００４】
酸素による塩化水素の酸化を含む方法は公知であり、目標生成物である塩素ばかりでなく水、未反応の塩化水素及び酸素あるいは二酸化炭素や不活性ガスといった副次的な組成物を含むガス混合物が反応において得られる。精製塩素を得るためには、生成ガス混合物は、反応の水及び塩化水素が凝縮された塩酸の状態で凝縮される程度において、反応後に冷却される。生成された塩酸は分離され、残留するガス混合物は、凝縮された硫酸で洗浄されることによって、またはゼオライト類による乾燥によって滞留する水から解放される。目下の水を含まないガス混合物は、引き続いて圧縮されかつ冷却され、その結果、塩素は凝縮されるが、酸素及び他の低沸点ガス組成物は、気相中に残留する。液化した塩素は分離され、任意に更に精製される。
【０００５】
ＥＰ−Ａ０７６５８３８には、塩化水素の酸化の過程で生成される塩素、塩化水素、酸素及び水蒸気から構成される反応ガスを作り出す方法が開示されている。酸化反応器を離れた反応ガスは、反応の水及び塩化水素を濃縮された塩酸の状態で凝縮し得る程度に冷却される。凝縮された塩酸は、反応ガスから分離され、水及び塩化水素の一部から実質的に解放された残留する反応ガスが乾燥されている間に放出される。塩素、酸素及び塩化水素から構成される乾燥された反応ガスは、１〜３０ｂａｒで圧縮され、圧縮された反応ガスは冷却されて、少なくとも部分的に酸化反応器に再循環されて凝縮されない反応ガスの成分とともに、工程の大部分において液化される。
【０００６】
塩素を分離するために、乾燥されかつ圧縮された反応ガス混合物は、膨張冷却機として構成された塩素回収熱交換器中に１０〜２０％の残留割合で残るように液化される。塩素回収熱交換器で分離された液状の主な塩素ストリームは、塩化水素、酸素及び不活性ガスが分解して滞留する塩素の存在しない蒸留カラム内で引き続きさらに精製される。塩化水素、塩素、酸素及び不活性ガスから実質的に構成されて蒸留カラムの頂部から除去されるガスは、圧縮段階に再循環される。塩素の残留部分を含み、塩素回収熱交換器で凝縮されないガス成分は、後冷却段階において十分に低い温度で部分的に液化される。未反応の塩化水素、酸素及び不活性ガスで構成される残留するオフガスは、酸化反応器に再循環される。再循環されるガスの副ストリームはパージガスストリームとして分離され、不純物の堆積を防ぐべく、工程から排出される。
【０００７】
主に凝縮によって塩化水素の酸化からの塩素含有生成ガスストリームから塩素を分離する先行技術に係る方法の欠点は、塩素の生成ガスを実質的に含ませないように、極めて低い温度または高い圧力が要求される。加えて、未凝縮ガス成分を含む廃ガスストリームは、二酸化炭素を含む不活性ガスを未だかなりの量で含有する。これらは、塩化水素酸化反応器への酸素含有廃ガスストリームの再循環中に含み得ないほどの高い量が蓄積され、その結果、パージガスストリームは、酸化水素の酸化へ再循環される前に廃ガスストリームから分離され、かつ工程から排出されなければならなくなる。しかし、このパージガスストリームは、塩素が凝縮のみによっては完全に分離しきれないことから、未だにかなりの量の塩素を含有している。従って、かなりの量の塩素が、パージガスストリームとともに失われてしまう。
【０００８】
国際公開０７１３４７１６及び国際公開０７０８５４７６には、塩素の除去においてＨＣｌが存在することの有利な効果が開示されている。国際公開０７０８５４７６に開示された方法では、水及びＨＣｌの凝縮段階は、乾燥段階を介して圧縮機内に入りその後に塩素が除去されるプロセスガスに、塩化水素が適合するのに有利な量となるように操作される。国際公開０７１３４７１６に開示された方法によれば、ガス状の塩化水素の一部は、フィードストリームから工程に取り込まれ、他のプロセス段階を迂回して塩素の除去に直接的に供給される。
【０００９】
国際公開０７０８６４７６には、塩化水素から塩素を製造する方法が開示されている。この方法は、以下の複数の工程を有する。
【００１０】
ａ）塩化水素を含むストリームａ１及び酸素を含むストリームａ２を酸素領域に導入して塩化水素を塩素へと触媒酸化し、塩素、水、酸素、二酸化炭素及び不活性ガスを含む生成ガスストリームａ３を供給する。
ｂ）生成ガスストリームａ３を相接触装置内で水性の塩酸Ｉに接触させ、ストリームａ３から水及び塩化水素を部分的に分離し、塩化水素、塩素、水、酸素、二酸化炭素及びあるいは不活性ガス類を含むガスストリームｂを残し、ガスストリームｂに残存するストリームａ３中に含まれる塩化水素を少なくとも５％とし、
ｃ）塩化水素、塩素、酸素、二酸化炭素及びあるいは不活性ガス類を含む水のないガスストリームｃをほぼ残すためにガスストリームｂを乾燥し、
ｄ）圧縮及び冷却してストリームｄを少なくとも部分的に液化することによってガスストリームｃを部分的に液化し、
ｅ）ガス／液体を、塩素、酸素、二酸化炭素、塩化水素及びあるいは不活性ガス類を含むガスストリームｅ１と、塩化水素、塩素、酸素及び二酸化炭素を含む液体ストリームｅ２とに分離し、任意に、ガスストリームｅ１の少なくとも一部を工程ａ）に再循環し、
ｆ）液体ストリームｅ２をカラム内で蒸留することによって、塩素ストリームｆ１と、塩化水素、酸素及び二酸化炭素からなるストリームｆ２とに分離し、
塩化水素の一部をカラムの頂部で凝縮してカラム内に逆流として流し戻し、結果として、１質量％以下の含有量の塩素を有するストリームｆ２を得る。
【００１１】
主構成要素として塩素、酸素からなり、付加的に塩化水素及び不活性ガス類（二酸化炭素、窒素）を含む乾燥されたガスストリームｃは、工程ｄ）において複数の段階で１０〜４０ｂａｒの下で圧縮される。圧縮されたガスは、およそ１０〜４０℃の温度で冷却される。
【００１２】
圧縮されかつ部分的に液化された二相の混合物は、最終的には、大量移送装置で分別される。液化されていないガスストリームは、主構成要素として塩素及び溶解した二酸化炭素、塩化水素及び酸素からなる液体とともに向流または共流中で接触される。その結果、液化されていないガス類は、熱力学的に平衡状態となるまでは液体塩素中に堆積し、結果として、不活性ガス、特に二酸化炭素は、オフガスを介して後に続く塩素の蒸留から分離され得る。
【００１３】
８５質量％以下の含有量の塩素を有する液化塩素は、およそ１０〜４０ｂａｒで蒸留される。底部の温度はおよそ３０〜１１０℃であり、頂部の温度は、液化塩素の塩化水素の含有量に依存して、およそ−５〜−８℃及びおよそ−２５〜−３０℃の範囲である。カラムの頂部では、塩化水素は凝縮されかつカラムに流し戻され得る。ＨＣｌの逆流の結果、塩素の実質的な完全除去が達成され、塩素の損失の最小化が図られる。カラムの底部から取り出される塩素は、９９．５質量％の純度を有する。
【先行技術文献】
【特許文献】
【００１４】
【特許文献１】ＥＰ−Ａ０７６５８３８
【特許文献２】国際公開０７１３４７１６
【特許文献３】国際公開０７０８５４７６
【発明の概要】
【発明が解決しようとする課題】
【００１５】
上記方法の重大な欠点は、極めて高い操作圧力（１５〜４０ｂａｒ）または一方で低い操作圧力、極めて低い凝縮温度（−３５〜−８０℃）による塩素ガスストリームの液化のための比較的高いエネルギーが消費されることにある。
【００１６】
本発明は、上記課題に鑑みてなされたものであり、その目的は、少なくとも塩素及び酸素を含むガスストリームから塩素を分離する改善された方法を提供することにある。特に、塩化水素の触媒酸化用の方法において、塩酸、塩化水素、二酸化炭素及びあるいはさらなる不活性ガス類を含むガスストリームから塩素を分離するといった方法を提供することを目的とする。
【課題を解決するための手段】
【００１７】
上記課題は以下の方法によって達成され、この方法は、酸素及び塩素を含むガスストリームＩから塩素を分離し、ガスストリームはカラムの底部に供給され、分離して供給される液体の塩化水素ストリームＩＩは、同じカラムの上部に供給され、上昇するガスストリームＩは、ストリームＩから凝縮されたガス状の塩素及び塩化水素及び酸素を含んだ実質的に塩素を含まないガスストリームＩＩＩと塩素を含んだ液体ストリームＩＶとを供給するためにストリームＩＩから気化した液体塩化水素とともに、下降する液体ストリームＩＩにもたらされて接触せしめられる。
【図面の簡単な説明】
【００１８】
【図１】先行技術の実施の形態を示す図である。
【図２】本発明に係る方法の実施の形態の概略を示す図である。
【図３】同じく、本発明に係る方法の実施の形態の概略を示す図である。
【図４】同じく、本発明に係る方法の実施の形態の概略を示す図である。
【発明を実施するための形態】
【００１９】
本発明においてカラムは、液相と発生する気相との間で熱交換及び大量移動を行う多段階熱交換装置及び大量移動装置である。
【００２０】
一般的に、ほぼ塩素を含まないガスストリームＩＩＩは、天井排出ストリームとして得られ、液体ストリームＩＶは底部排出ストリームとして得られる。
【００２１】
粗ガスストリームＩは、カラムＫ１の下部に供給され、分離して供給される液体の塩化水素ストリームＩＩは、同じカラムの上部に供給される。このように、粗ガスストリームＩは、分離して供給される液体の塩化水素ストリームＩＩが供給される箇所の下に供給される。一般的に、液体の塩化水素ストリームはカラムの上半分に導入され、分別化されるガスストリームは、カラムの下半分に導入される。液体の塩化水素ストリームＩＩは、好適にはカラムの頂部に導入される。
【００２２】
一般的に、カラムＫ１は１〜３０ｂａｒ、好適には３〜１５ｂａｒで稼働される。カラムの底部の温度は、−５０〜９０℃、好適には−４０〜６０℃であり、カラムの頂部の温度は、−８０〜１０℃、好適には−６０〜−１０℃である。
【００２３】
ディーコンの方法の塩素の分離において液体の塩化水素を使用することにより、塩化水素の気化に要求される熱は、塩素の分離に供給されるプロセスガスストリームにより供給され、このように、塩素の凝縮中に除去される熱は、このプロセスガスストリームから同時に消熱する。本発明によれば、２つのプロセスストリームをカラム中で接触させることによる直接的なエネルギー交換が実現される。さらに、間接的なエネルギー交換が、熱交換器の熱交換表面を介して実現され得る。
【００２４】
塩化水素ストリームは、分離して供給される。すなわち、蒸留それ自体において逆流として発生するものではない。むしろ、分別化されるガス混合物に加えて、外部ストリームから供給されかつ適切に配置された蒸留カラムに供給される。
【００２５】
プロセスストリームの良好な接触は、２〜２０の理論段数を有する向流カラムにおいて発生する。内部構造としては、ランダムパッキング要素、構造化パッキングまたはトレイを用いることができる。一般的に、カラムは１〜３０ｂａｒの圧力で稼働される。カラム内の圧力は、塩化水素酸化反応器の稼働圧力よりも上であることが好適である。例えば、カラム中の圧力は、塩化水素酸化反応器の稼働圧力よりも上の０．５〜１５ｂａｒである。
【００２６】
液体塩化水素ストリームは、凝縮温度が−１０〜−４０℃の通常の冷凍プラントで１０〜２５ｂａｒの凝縮によって、簡易に製造される。例えば、１０％以下の不活性ガスの低い割合での凝縮を簡易に可能とすることから、イソシアネートプラントまたはポリカーボネートプラントに良好に適用できる。特に凝縮は、露点近傍において比較的高い精製度で塩化水素が得られることから、蒸留による塩化水素の精製に良好に適用できる。条件及び塩素の除去における乾燥された粗ガスストリームの組成物によっては、ＨＣｌ酸化で用いられるＨＣｌの総量を全て液化する必要はない。
【００２７】
一般的に、発明の方法において用いられる塩化水素は、塩化水素が副生成物として生成された方法において得られた放出ストリームとして得られた塩化水素である。このような方法は、例えば、以下の工程を有する。
【００２８】
（１）ホスゲン及びアミン類からイソシアネートを製造する
（２）酸化塩素を生成する
（３）ポリカーボネートを生成する
（４）エチレンジクロロライドからビニル塩素を生成する
（５）芳香族類を塩素化する
液体塩化水素の使用は、簡易な方法で低い温度範囲（温度＜２０℃以下）における凝縮に要求される“冷気”をもたらし、結果として、塩化水素酸化反応器に再循環される酸素含有再循環ストリーム中の塩素の含有量を低く抑えられる塩素除去カラム中に直接的に導入される場合において、ＨＣｌ凝縮の増大を確保することができる。
【００２９】
塩素の凝縮中に塩素に溶解したＨＣｌは、カラム中の余剰生成物として、または続く塩素の精製においてカラムの凝縮領域の液体側排出ストリームとして、蒸留によって除去され得る。
【００３０】
本発明の方法に係る好適な実施の形態では、液体ストリームＩＶは第２カラムＫ２の下部に供給され、さらに分離的に供給される液体塩化水素ストリームＶは、この第２カラムの上部に供給され、酸素、塩化水素及びほぼ塩素から構成される液体ストリームＶＩＩを含有する実質的に塩素のないガスストリームＶＩが得られる。
【００３１】
ガスストリームＶＩは、一般的に天井排出ストリームとして得られ、液体ストリームＶＩＩは、一般的に底部排出ストリームとして得られる。
【００３２】
一般的に、カラムＫ２は１〜３０ｂａｒ、好適には３〜１５ｂａｒの圧力で稼働される。カラムの底部の温度は、−５０〜９０℃、好適には−４０〜６０℃であり、カラムの頂部の温度は−８０〜１０℃、好適には−６０〜−１０℃である。
【００３３】
一の変形例では、カラムＫ１からのストリームＩＩＩ及び任意のカラムＫ２からのストリームＶＩは、熱交換器中の酸素及び塩素を含有するガスストリームＩを予め冷却するために用いられる。
【００３４】
さらに好適な実施の形態では、液体ストリームＩＶは第２カラムＫ２に供給され、塩化水素を含有するガスストリームＶＩに分離され、ＣＯ２、Ｎ２及びＯ２及びほぼ塩素からなる液体ストリームＶＩＩといったさらなるガス類を辿る。天井排出ストリームＶＩは、カラムＫ１の下部に供給されるとともに、カラムＫ１よりも高い圧力で稼働されるカラムＫ２に供給される。
【００３５】
一般的に、ガスストリームＶＩは天井排出ストリームとして得られ、かつ液体ストリームＶＩＩは底部排出ストリームとして得られる。
【００３６】
一般的に、カラムＫ１は１〜３０ｂａｒ、好適には３〜１５ｂａｒの圧力で稼働される。カラムの底部の温度は−５０〜９０℃、好適には−４０〜６０℃であり、カラムの頂部の温度は−８０〜１０℃、好適には−６０〜−１０℃である。
【００３７】
ここで、一の変形例では、カラムＫ１からのストリームＩＩＩは、熱交換器中の酸素及び塩素を含有するガスストリームＩの冷却に用いられる。
【００３８】
本発明に係る方法に特有の実施の形態では、酸素及び塩素を含有するガスストリームＩは、熱交換器中の液体塩化水素により間接的に予め冷却される。
【００３９】
酸素及び塩素を含有するガスストリームＩは、二酸化炭素及びさらには窒素や貴ガス類といった不活性ガス類を含み得る。
【００４０】
上記の実施の形態の一の変形例では、カラムＫ１及びＫ２は、単一のカラムＫ１を形成するために連結される。このカラムＫ１は、凝縮領域及び除去領域を有するとともに、カラムＫ１の中間部である凝縮領域と除去領域との間にガスストリームＩが供給され、分離して供給される液体塩化水素ストリームＩＩがカラムの頂部に供給され、上昇するガスストリームＩがカラムの凝縮領域において下降する液体ストリームＩＩに接触するように供給される。これにより、天井排出ストリームとして塩化水素及び酸素を含有する実質的に塩素が存在しないガスストリームＩＩＩ、及び底部排出ストリームとしてほぼ塩素からなる液体ストリームＩＶがもたらされる。
【００４１】
本発明は、塩化水素から塩素を製造する方法をさらに提供し、この方法は以下のステップを有する。
【００４２】
ａ）塩化水素を含有するストリームａ１及び酸素を含有するストリームａ２を酸化領域及び塩化水素を塩素とする触媒酸化に導入し、塩素、水、酸素、二酸化炭素及び不活性ガスを含有する生成ガスストリームａ３を供給し、
ｂ）相接触装置で生成ガスストリームａ３と水性の塩酸とを接触させ、ストリームａ３からの水と塩化水素とを少なくとも部分的に分離し、塩化水素、塩素、水、酸素、二酸化炭素及び場合により不活性ガスを含有するガスストリームｂを残し、
ｃ）ガスストリームｂを乾燥して、塩化水素、塩素、酸素、二酸化炭素及び場合により不活性ガスを含有するほぼ水を含まないガスストリームｃを残し、
ｄ）任意に、ガスストリームｃを圧縮及び冷却し、圧縮または冷却、あるいは圧縮及び冷却されたガスストリームｃを供給し、
ｅ）カラムＫ１の下部にガスストリームｃを導入し、かつ同じカラムＫ１の上部に分離的に供給された液体の塩化水素ストリームｅを導入し、上昇するガスストリームｃと下降する液体ストリームｅとを接触させるとともに、ストリームｃからガス状の塩素を凝縮しかつストリームｅから液体の塩化水素を気化して、塩化水素、酸素、二酸化炭素及び場合により不活性ガス、を含有するほぼ塩素を含まないガスストリームｅ１及び塩素を含有する液体ストリームｅ２を供給し、
ｆ）塩化水素、酸素、二酸化炭素及び場合により不活性ガスを含有するほぼ塩素を含まないガスストリームｅ１の少なくとも一部を酸化段階ａ）に再循環する。
【００４３】
酸化段階ａ）では、塩化水素を含有するストリームａ１は、酸素含有ストリームａ２とともに酸化領域に供給され、かつ触媒的に酸化される。
【００４４】
本発明によれば、工程ａ）に導入される塩化水素の少なくとも一部は、塩素除去工程ｅ）に供給された分離した塩化水素ストリームｅに由来する。
【００４５】
触媒的な工程では、塩化水素は、水蒸気を生成する発熱平衡反応における酸素によって酸化されて塩素となる。通常の反応温度は１５０〜５００℃の範囲であり、通常の反応圧力は１〜２５ｂａｒの範囲である。さらに、超組成量で酸素を用いることが好適である。例えば、酸素が２〜４倍超過することが通常である。選択性の減少を懸念することもないことから、比較的高圧でも作用し、それに伴って大気圧における滞留時間よりも長く滞留するため、経済的に有利である。
【００４６】
好適な触媒類は、例えば、酸化ルテニウム、塩化ルテニウムまたは二酸化シリコン、酸化アルミニウム、二酸化チタンまたはキャリアとしてのジルコニウム上の他のルテニウム化合物を含有する。好適な触媒類は、例えば、キャリアに塩化ルテニウムを施与し、続いて乾燥または乾燥及びか焼することによって得ることができる。好適な触媒類は、ルテニウム化合物に加えてまたはルテニウム化合物に代えて、他の貴金属類、例えば金、パラジウム、プラチナ、オスミウム、イリジウム、銀、銅、レニウムを含み得る。好適な触媒類はさらに、塩化クロム（ＩＩＩ）を含む。
【００４７】
塩化水素の触媒的酸化が実行される通常の反応装置は、固定床式または流動床式反応器である。塩化水素の酸化は、複数の段階で実行され得る。
【００４８】
塩化水素の触媒的酸化は、流動床式または固定床式工程として、断熱的または好適には等温またはほぼ等温で、バッチワイズであるいは好適には継続的に実行される。好適には、３２０〜４５０℃でかつ２〜１０ｂａｒの圧力において、流動床式反応器で実行される。
【００４９】
酸化が固定床式で実行される場合、２〜１０、好適には２〜６、特に好適には２〜５、さらに特に好適には２または３の複数の反応器が直列に接続されて付加的に中間冷却を行うものを用いることが可能である。酸素は、第１反応器の上流の塩化水素とともに導入されるか、または酸素の導入は、種々の反応器に亘って分配され得る。個々の反応器の直列配置により、一つの装置とすることも可能である。
【００５０】
触媒担体は、任意の好適な形状を採ることが可能であり、例えば、ペレット状、リング状、シリンダ状、星型、ワゴンホイル状または球状であり、特に好適には、リング状、シリンダ状または星型である。
【００５１】
好適な異種の触媒類は、特に、担体材料上のルテニウム化合物または銅化合物である。触媒類はドープされ、好適にはドープされたルテニウム触媒類である。好適な担体材料は、例えば、二酸化シリコン、グラファイト、ルチルまたはアナターゼ構造を有する二酸化チタン、二酸化ジルコニウム、酸化アルミニウムまたはこれらの混合物、より好適には、二酸化チタン、二酸化ジルコニウム、酸化アルミニウムまたはこれらの混合物、特に好適にはガンマまたはアルファ−酸化アルミニウムまたはこれらの混合物である。
【００５２】
担持された銅またはルテニウム触媒は、例えば、ＣｕＣｌ２またはＲｕＣｌ３の水溶液及び任意に、好適にはこれらの塩化物類の形態を採ったドーピングの促進剤に含浸させることによって得られる。触媒の形状の形成は、担体材料の含浸の後、好適には含浸の前に行うことが好ましい。
【００５３】
ドーピングに好適な促進剤は、リチウム、ナトリウム、ポタジウム、ルビジウム及びセシウム、好適にはリチウム、ナトリウム及びポタジウム、特に好適にはポタジウム、マグネシウムといったアルカリ土類金属、カルシウム、ストロンチウム及びバリウム、好適にはマグネシウム及びカルシウム、特に好適にはマグネシウム、あるいはスカンジウムといったレアアース金属類、イットリウム、ランタン、セリウム、プラセオジム及びネオジム、好適にはスカンジウム、イットリウム、ランタン及びセリウム、特に好適にはランタン及びセリウムまたはこれらの混合物といったアルカリ金属類である。
【００５４】
好適な促進剤は、カルシウム、銀及びニッケルである。特に好適なのは、ルテニウムと銀及びカルシウムの結合、ルテニウムと促進剤としてのニッケルの結合である。
【００５５】
担体材料は乾燥され、かつ含浸及びドーピングの後、例えば、窒素、アルゴンまたは大気の存在下で、任意に１００〜５００℃、好適には１００〜４００℃の温度条件でか焼される。担体材料は、好適には１００〜２００℃でまず乾燥され、続いて２００〜４００℃でか焼される。
【００５６】
反応器の入口における酸素に対する塩化水素の容量比は、一般的に１：１〜２０：１の範囲、好適には２：１〜８：１、特に好適には２：１〜５：１の範囲である。
【００５７】
工程ｂ）では、生成ガスストリームａ３は、相接触装置において水性塩酸Ｉと接触させられ、水及び塩酸は、塩化水素、塩素、水、酸素、二酸化炭素及びあるいは不活性ガスを含むガスストリームｂを残して、ストリームａ３から部分的に分離される。急冷及び吸収とも称されるこの工程では、生成ガスストリームａ３は冷却され、塩化水素は、生成ガスストリームａ３から水性塩酸として少なくとも部分的に分離される。加熱された生成ガスストリームａ３は、例えば、パックされたまたはトレイカラム、ジェットスクラバまたはスプレイタワーといった好適な相接触装置において急冷媒体として希釈された塩化水素と接触されて冷却され、その結果、急冷媒体に吸収される塩化水素の一部となる。急冷及び吸収媒体は、塩化水素で浸されない塩酸である。
【００５８】
本発明の方法に係る好適な実施の形態では、相接触装置は、第１段階がパイプ急冷装置であって第２段階が流下薄膜型熱交換器であるという２つの段階を備える。パイプ急冷としての相接触装置の構成は、生成物と接触する急冷装置の部分のみが冷却された塩酸と接触することから、タンタルといった高価な腐蝕防止材料を使用しなくともよいという利点がある。これにより、グラファイトのような高価でない材料を用いることが可能である。
【００５９】
一般的に、相接触装置は、循環する塩酸Ｉで操作される。好適な実施の形態では、相接触装置を循環する水性塩酸の少なくとも一部、例えば１〜２０％は、相接触装置から取り出されて引き続き蒸留され、得られた塩化水素及び工程ａ）に再循環された塩化水素においてガス状の塩化水素及び水性塩酸ＩＩが涸渇され、水性塩酸ＩＩの少なくとも一部が、相接触装置に再循環される。
【００６０】
塩酸の蒸留は、複数の段階で実行される。例えば、まず圧力蒸留が実行され、カラムの頂部及び共沸ボイラで塩化水素が得られ、カラムの下部で得られた希塩酸は例えば、１５〜２２質量％の範囲で塩化水素を含有する。圧力蒸留カラムからの底部排出ストリームは、引き続き真空蒸留に供され、真空蒸留カラムの頂部で水が得られ、かつ例えば２０〜２８質量％の範囲で塩化水素を含有する共沸塩酸がカラムの底部で得られる。圧力蒸留及び真空蒸留の間で得られる塩酸は、それぞれの場合において部分的にまたは完全に相接触装置に再循環され、循環液と結合する。
【００６１】
相接触装置に残存するガスストリームｂは、塩素、塩化水素、水、酸素、二酸化炭素及び一般的に不活性ガスを含有する。これは、続く乾燥工程ｃ）において乾燥剤に接触させることによって湿気の影響を受けることがなくなり得る。好適な乾燥剤は、例えば、凝縮された硫酸、モレキュラシーブ及び吸湿剤である。これにより、塩素、酸素、二酸化炭素及びあるいは不活性ガスを含有する実質的に水のないガスストリームｃを生じる。
【００６２】
ガスストリームｂは、一般的に、乾燥工程ｃ）の前に冷却される。工程ｄ）では、ガスストリームｃは任意に圧縮されかつ任意に冷却されて、圧縮または冷却された、あるいは圧縮及び冷却されたガス状ストリームｃが生じる。
【００６３】
本発明に係る方法の実施の形態では、ガスストリームｃは、熱交換器の液体塩化水素流によって冷却される。冷却されたストリームは、一般的に、２〜２５ｂａｒの範囲の圧力、及び−５０〜０℃の範囲の温度を有する。
【００６４】
工程ｅ）では、ストリームｃはカラムＫ１の下部に供給され、分離して供給された液体塩化水素ストリームｅは同じカラムＫ１の上部に供給され、かつ上昇するガス状ストリームｃは下降する液体ストリームｅと接触する。その結果、ストリームｃから凝縮されたガス状塩素及びストリームｅから気化された液体塩化水素が生成され、塩化水素、酸素、二酸化炭素及びあるいは不活性ガスを含有するほぼ塩素を含まないガスストリームｅ１と、塩素を含有する液体ストリームｅ２を生じる。
【００６５】
一般的に、実質的に塩素のないガスストリームｅ１は天井排出ストリームとして得られ、塩素を含有するストリームｅ２は、底部排出ストリームとしてとして得られる。
【００６６】
好適な実施の形態では、液体ストリームｅ２は第２カラムＫ２の下部に供給され、分離して供給される液体塩化水素ストリームｅ３は、同じカラムの上部に供給され、かつ塩化水素及び酸素を含有する実質的に塩素のないガスストリームｅ４が天井排出ストリームとして得られ、及びほぼ塩素からなる液体ストリームｅ５が底部排出ストリームとして得られる。
【００６７】
一般的に、実質的に塩素のないガスストリームｅ４は天井排出ストリームとして得られ、かつほぼ塩素からなる液体ストリームｅ５は底部排出ストリームとして得られる。
【００６８】
一つの変形例として、カラムＫ１からの天井排出ストリームｅ１、及びカラムＫ２からの任意の天井排出ストリームｅ４は、熱交換器内の酸素及び塩素を含有するガスストリームｄを予め冷却するために用いられる。
【００６９】
さらに好適な実施の形態では、液体ストリームｅ２は第２のカラムＫ２に供給され、塩化水素及び酸素を含有して分離したガス状の天井排出ストリームｅ４及びほぼ塩素からなる液体底部排出ストリームｅ５が、カラムＫ１の下部に供給されるとともに、カラムＫ１よりも高い圧力で稼働されるカラムＫ２にも供給される。
【００７０】
一般的に、ストリームｅ４は天井排出ストリームとして得られ、ストリームｅ５は底部排出ストリームとして得られる。
【００７１】
一の変形例として、酸素及び塩素を含有するガスストリームｃは、熱交換器内の液体塩化水素により予め冷却される。
【００７２】
塩化水素を含有する天井排出ストリームｅ１、及び塩化水素を含有する任意の天井排出ストリームｅ４は、少なくともその一部が方法に係る酸化工程ａ）に供給される。
【００７３】
副ストリームは、好適には、塩化水素含有天井排出ストリーム、または酸化工程にストリームが供給される前に二酸化炭素あるいは不活性ガス（パージガスストリーム）を放出するストリームから分離される。
【００７４】
分離されたパージガスストリームは、塩化水素を分離させるために、水または水性塩酸によるスクラブ処理に供される。
【００７５】
さらに任意の工程では、パージガスストリームは、炭酸水素ナトリウム及び重亜硫酸ナトリウムを含有し、極めて少量の塩素を分離する７〜９のｐＨを有する溶液と接触せしめられる。
【００７６】
パージガスストリームは、好適には、スクラブカラム中において、ｐＨがおよそ７．０〜９．０の炭酸水素ナトリウム及び重亜硫酸ナトリウムを含有するポンプ循環ストリームと接触せしめられる。ポンプ循環ストリームは、スクラブカラムの頂部に導入される。実質的には、以下の（平衡）反応が発生する：
2014510009.tif 000003
【００７７】
ＮａＣｌ、ＮａＨＳＯ４／Ｎａ２ＳＯ４、ＮａＨＳＯ３／Ｎａ２ＳＯ３及びＮａＨＣＯ３を含有する底部排出ストリームは、部分的に排出される。ポンプ循環ストリームは、新たなアルカリ水性亜硫酸ナトリウムで補充される。ほんのわずかな二酸化炭素だけがこのモードの操作で結合されることから、スクラブ工程では、ＮａＯＨの消費が比較的低いものとなる。
【００７８】
本発明の概要を、図１〜図４で示す。図１は、先行技術の実施の形態を示す図であり、図２〜図４は、本発明に係る方法の実施の形態を示す図である。
【００７９】
図１は、酸素、塩素、塩化水素及び不活性ガスを含有する粗ガスストリームから塩素を分離する従来技術の例を示す図である。熱統合手段は、例で示したものと同様である。
【００８０】
例えば、コンプレッサの圧縮側で得られ、かつ塩素及び酸素が大部分を占める乾燥されたガスストリーム１、及びＨＣｌ、ＣＯ２や窒素といったガス類は、熱交換器Ｗ１においてさらに冷却される。凝縮は、通常の冷却媒体を用いて操作される熱交換器Ｗ２においてほぼ行われる。凝縮された粗塩素２は、蒸留カラムＫ１とともに気化器Ｗ３及び還流凝縮器Ｗ４に、精製のために供給される。液体塩素は、カラムの底部においてストリーム４として得られる。本質的に塩化水素、酸素、二酸化炭素及び窒素からなる分離した低ボイラ５は、ガス状でカラムの頂部または凝縮器Ｗ４を介して出る。これらは、Ｗ２からの凝縮されていないガス３と結合され、粗ガスストリーム１を予め冷却するために熱交換器Ｗ１に搬送される。ＨＣｌ、酸素、二酸化炭素、塩素及び窒素を含有する加温されたガスストリーム７は、その大部分が塩化水素の酸化に戻される。
【００８１】
図２は、塩素、塩化水素、酸素、二酸化炭素及びさらには不活性ガスを含有する本発明に係るガス混合物から塩素の凝縮を行う例を説明する図である。熱統合手段は、例で示したものと同様である。
【００８２】
例えば、コンプレッサの圧縮側で得られ、かつ塩素及び酸素が大部分を占める乾燥された粗ガスストリーム１、及びＨＣｌ、ＣＯ２や窒素といったガス類は、熱交換器Ｗ１においてさらに冷却される。
【００８３】
２つの相から成り得る冷却された粗ガスストリーム３は、向流カラムＫ１の底部に供給される。カラムＫ１の頂部では、液体塩化水素５は、逆流として導入される。塩化水素は、カラムにおいて、強い熱交換及び大量移動によって気化され、塩素はガスストリームから凝縮される。カラムＫ１からのガス状の天井排出ストリームは、ほんのわずかな量の塩素しか含有していない。液体底部排出ストリーム７は、大部分は塩素である。この凝縮された粗塩素７は、粗ガスストリームの任意の液体副ストリーム２とともに、さらなる精製化のために蒸留カラムＫ２に供給される。特定の液体塩素９は、カラムの底部で得られる。カラムＫ２は、天井凝縮を行わず、代わりに、液体塩化水素６は、カラムＫ１の場合と同様に、カラムの頂部に逆流として導入される。カラムＫ１の場合と同様に、塩化水素は、カラムＫ２における強い熱交換及び大量移動により気化され、ガス状の天井排出ストリームにおける比較的高い塩素凝縮が阻止される。ほぼ酸素、塩化水素、二酸化炭素及び不活性ガスからなりカラムＫ２に対するフィード中に存在する低ボイラは、ガス状で頂部からストリーム１１として出る。ガス状の天井排出ストリーム１０及び１１は結合されてストリーム１２を形成し、熱交換器Ｗ１を通過して粗ガスストリーム１を予め冷却する。加温されたガスストリーム１３は、その大部分が塩化水素酸化工程に供給される。
【００８４】
図３ａは、塩素、塩化水素、酸素、二酸化炭素及びさらには不活性ガスを含有する本発明に係る粗ガス混合物から塩素を凝縮する変形例を説明する図である。
【００８５】
例えば、コンプレッサの圧縮側で得られ、かつ塩素及び酸素が大部分を占める乾燥された粗ガスストリーム１、及びＨＣｌ、ＣＯ２や窒素といったガス類は、熱交換器Ｗ１においてさらに冷却される。
【００８６】
２つの相から成り得る冷却された粗ガスストリーム３は、向流カラムＫ１の底部に供給される。カラムＫ１の頂部では、液体塩化水素４は、逆流としてカラムＫ１の頂部に導入される。塩化水素は、カラムにおいて、強い熱交換及び大量移動によって気化され、塩素はガスストリームから凝縮される。液体底部排出ストリーム７は、大部分は塩素である。この凝縮された粗塩素７は、粗ガスストリームの任意の液体副ストリーム２とともに、さらなる精製化のために蒸留カラムＫ２に供給される。特定の液体塩素８は、カラムの底部で得られる。ほぼ酸素、塩化水素、二酸化炭素及び不活性ガスからなりカラムＫ２に対するフィード中に存在する低ボイラは、ガス状で頂部からストリーム７として出る。このストリーム７もまた、カラムＫ１の底部に供給される。これは、カラムＫ１よりも幾分高い圧力で操作されるカラムＫ２により達成される。カラムＫ２からの天井排出ストリーム中に未だに含有される塩素は、このように、カラムＫ１で凝縮される。
【００８７】
塩化水素は、カラムＫ２に導入されない。カラムＫ１からの天井排出ストリーム９は、その大部分が塩素を含有していない。これは、熱交換器Ｗ１内の粗ガスストリームを予め冷却するために用いられる。ストリーム１０は、その大部分が塩化水素酸化工程に供給される。
【００８８】
図３ｂは、２つのカラムＫ１及びＫ２が同じ圧力で稼働され一つのカラムとして連結される図３ａで示した実施の形態の変形例である。この単一のカラムは、濃縮セクション及び除去セクションを備え、冷却された粗ガスストリーム３及び粗ガスストリームの液体副ストリーム２が、カラムの中間部分に導入される。液体塩化水素は、カラムＫ１の頂部に逆流として導入される。塩化水素は、図３ａ中のカラムＫ１に対応するカラムの濃縮セクションにおいて強い熱交換及び大量移動により気化され、塩素は、ガスストリームから凝縮される。図３ａのカラムＫ２に対応するカラムの除去セクションでは、凝縮された塩素の高程度での精製が達成される。液体底部排出ストリームは、実質的に精製塩素を含有する。カラムＫ１からのガス状の天井排出ストリーム９は、その大部分が塩素を有さないものである。これは、熱交換器Ｗ１中の粗ガスストリームを予め冷却する際に用いられ、塩化水素酸化工程に大部分がストリーム１０として供給される。
【００８９】
図４は、熱交換器における液体塩化水素による粗ガス混合物の付加的な間接冷却を伴った発明に係る方法の変形例を説明する図である。
【００９０】
例えば、コンプレッサの圧縮側で得られ、かつ塩素及び酸素が大部分を占める乾燥された粗ガスストリーム１、及びＨＣｌ、ＣＯ２や窒素といったガス類は、熱交換器Ｗ１においてさらに冷却される。
【００９１】
２つの相から成り得る冷却された粗ガスストリームは、第２熱交換器Ｗ２に供給され、そこでさらに冷却されかつ広く凝縮される。Ｗ２で除去された熱は、熱交換器の表面の反対側で液体塩化水素の気化に作用する。
【００９２】
２つの相からなり、熱交換器Ｗ２から出たガスストリーム３は、向流カラムＫ１の底部に供給される。液体塩化水素７は、カラムＫ１の頂部に逆流として導入される。塩化水素は、カラムにおける強い熱交換及び大量移動により気化され、さらなる塩素は粗ガスストリームから凝縮される。カラムからのガス状の天井排出ストリーム１１は、ほんのわずかな量の塩素のみしか含有していない。液体底部排出ストリーム９は、塩素を大部分含有しており、Ｗ２からの粗塩素の液体副ストリーム２と任意に結合される。結合された塩素ストリーム１０は、さらなる精製のために蒸留カラムＫ２に供給される。特定の液体塩素は、ストリーム１２としてカラムの底部で得られる。カラムＫ２は天井凝縮器を有しておらず、代わりに液体塩化水素８がカラムの頂部に逆流として導入される。本質的に酸素、塩化水素、二酸化炭素及び不活性ガスからなりカラムＫ２に対するフィード中に存在する低ボイラは、ガス状の天井排出ストリーム１３としてカラムから出る。ガス状の天井排出ストリーム１１及び１３は、熱交換機Ｗ１を介してストリーム１４として結合されかつ搬送され、粗ガスストリームを予め冷却する。加温されたガスストリーム１５は、その大部分が塩化水素酸化反応器に供給される。
（実施例）
図１〜図４に係る方法を、数値的に示す。
【００９３】
表１は、図１に対応する方法におけるストリームの状態及び配合を示すものである。
【００９４】
表２は、図２に対応する方法におけるストリームの状態及び配合を示すものである。
【００９５】
表３ａは、図３ａに対応する方法におけるストリームの状態及び配合を示すものである。
【００９６】
表３ｂは、図３ｂに対応する方法におけるストリームの状態及び配合を示すものである。
【００９７】
表４は、図４に対応する方法におけるストリームの状態及び配合を示すものである。
【００９８】
【表１】
2014510009.tif 000004
【００９９】
【表２】
2014510009.tif 000005
【０１００】
【表３】
2014510009.tif 000006
【０１０１】
【表４】
2014510009.tif 000007
【０１０２】
【表５】
2014510009.tif 000008
【０１０３】
【表６】
2014510009.tif 000009
【０１０４】
【表７】
2014510009.tif 000010
【０１０５】
【表８】
2014510009.tif 000011
【図１】
2014510009.tif 000012
【図２】
2014510009.tif 000013
【図３ａ】
2014510009.tif 000014
【図３ｂ】
2014510009.tif 000015
【図４】
2014510009.tif 000016
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
酸素及び塩素を含有するガスストリームＩから塩素を分離する方法において、
ガスストリームＩをカラムＫ１の下部に供給し、
分離して供給される液体、塩化水素ストリームＩＩを前記カラムの上部に供給し、
上昇するガスストリームＩを下降する液体ストリームＩＩに接触させ、
かつ、ストリームＩから塩素を凝縮し及びストリームＩＩから塩化水素を気化して塩化水素及び酸素を含有するほぼ塩素を含まないガスストリームＩＩＩと塩素を含有する液体ストリームＩＶとを生成し、
液体ストリームＩＶを第２カラムＫ２の下部に供給しかつさらに分離して供給される液体塩化水素Ｖを前記カラムの上部に供給して、塩化水素及び酸素を含有する塩素をほぼ含まないガスストリームＶＩと実質的に塩素を含有する液体ストリームＶＩＩとを得ることを特徴とする方法。
【請求項２】
カラムＫ１からのストリームＩＩＩ及び任意にカラムＫ２からのストリームＶＩを熱交換器に用い、酸素及び塩素を含有するガスストリームＩを予め冷却することを特徴とする請求項１に記載の方法。
【請求項３】
液体ストリームＩＶを第２カラムＫ２に供給して塩化水素及び酸素を含有するガスストリームＶＩを分離し、ほぼ塩素からなる液体ストリームＶＩＩ及びストリームＶＩをカラムＫ１の下部に供給し、カラムＫ２はカラムＫ１よりも高圧で稼働させることを特徴とする請求項１または２に記載の方法。
【請求項４】
酸素及び塩素を含有するガスストリームＩを熱交換器中の液体塩化水素によって予め冷却することを特徴とする請求項１〜３のいずれか１項に記載の方法。
【請求項５】
ガスストリームＩは、酸素、及び塩化水素と二酸化炭素とあるいはさらに不活性ガスとを含有する塩素を含有することを特徴とする請求項１〜４のいずれか１項に記載の方法。
【請求項６】
塩化水素から塩素を製造する方法であって、
ａ）塩化水素を含有するストリームａ１及び酸素を含有するストリームａ２を酸化領域に導入し、及び塩化水素を塩素とする触媒酸化を行い、塩素、水、酸素、二酸化炭素及び不活性ガスを含有する生成ガスストリームａ３を供給し、
ｂ）相接触装置で生成ガスストリームａ３と水性の塩酸とを接触させ、ストリームａ３からの水と塩化水素とを少なくとも部分的に分離し、塩化水素、塩素、水、酸素、二酸化炭素及び場合により不活性ガスを含有するガスストリームｂを残し、
ｃ）ガスストリームｂを乾燥して、塩化水素、塩素、酸素、二酸化炭素及び場合により不活性ガスを含有するほぼ水を含まないガスストリームｃを残し、
ｄ）任意に、ガスストリームｃを圧縮及び冷却し、圧縮または冷却、あるいは圧縮及び冷却されたガスストリームｃを供給し、
ｅ）カラムＫ１の下部にガスストリームｃを導入し、かつ同じカラムＫ１の上部に分離的に供給された液体の塩化水素ストリームｅを導入し、上昇するガスストリームｃと下降する液体ストリームｅとを接触させるとともに、ストリームｃからガス状の塩素を凝縮しかつストリームｅから液体の塩化水素を気化して、塩化水素、酸素、二酸化炭素及び場合により不活性ガス、を含有するほぼ塩素を含まないガスストリームｅ１及び塩素を含有する液体ストリームｅ２を供給し、液体ストリームｅ２を第２カラムＫ２の下部に供給しかつさらに分離して供給される液体塩化水素ｅ３を前記カラムの上部に供給して、塩化水素を含有する塩素がほぼ含まれないガスストリームｅ４と実質的に塩素を含有する液体ストリームｅ５とを得、
ｆ）塩化水素、酸素、二酸化炭素及び場合により不活性ガスを含有するほぼ塩素を含まないガスストリームｅ１の少なくとも一部を酸化段階ａ）に再循環する、
ことを特徴とする方法。
【請求項７】
カラムＫ１からのストリームｅ１及びカラムＫ２からの任意のストリームｅ４を熱交換器内で用いて、酸素及び塩素を含有するガスストリームｃを予め冷却することを特徴とする請求項６に記載の方法。
【請求項８】
酸素及び塩素を含有するガスストリームｃを熱交換器の液体塩化水素で予め冷却することを特徴とする請求項６または７に記載の方法。
【請求項９】
塩化水素を含有するストリームｅ１及び任意に塩化水素を含有するストリームｅ４を当該方法の酸化工程ａ）に供給することを特徴とする請求項６〜８のいずれか１項に記載の方法。
【請求項１０】
塩化水素を含有するストリームまたはストリームｅ１、及び不活性ガスを排出するために酸化工程に導入される前に任意にストリームｅ４から副ストリームを分離することを特徴とする請求項９に記載の方法。
【請求項１１】
不活性ガスを排出する副ストリームを水または水性塩化水素でスクラブして塩化水素を分離することを特徴とする請求項１０に記載の方法。
【請求項１２】
酸素及び塩素を含有するガスストリームＩから塩素を分離する方法において、
ガスストリームＩをカラムＫ１の下部に供給し、
分離して供給された液体、塩化水素ストリームＩＩを前記カラムの上部に供給し、
上昇するガスストリームＩを下降する液体ストリームＩＩに接触させ、
かつ、ストリームＩから塩素を凝縮し及びストリームＩＩから塩化水素を気化して塩化水素及び酸素を含有するほぼ塩素を含まないガスストリームＩＩＩと塩素を含有する液体ストリームＩＶとを生成し、液体ストリームＩＶを第２カラムＫ２に供給し、かつ塩化水素及び酸素を含有する分離されたガスストリームＶＩとほぼ塩素からなる液体ストリームＶＩＩとストリームＶＩとをカラムＫ１の下部に供給し、カラムＫ１よりもカラムＫ２が高圧で操作されることを特徴とする方法。
【請求項１３】
酸素及び塩素を含有するガスストリームＩを熱交換器中の液体塩化水素によって予め冷却することを特徴とする請求項１２に記載の方法。
【請求項１４】
塩化水素から塩素を製造する方法であって、
ａ）塩化水素を含有するストリームａ１及び酸素を含有するストリームａ２を酸化領域に導入し、及び塩化水素を塩素とする触媒酸化を行い、塩素、水、酸素、二酸化炭素及び不活性ガスを含有する生成ガスストリームａ３を供給し、
ｂ）相接触装置で生成ガスストリームａ３と水性の塩酸とを接触させ、ストリームａ３からの水と塩化水素とを少なくとも部分的に分離し、塩化水素、塩素、水、酸素、二酸化炭素及び場合により不活性ガスを含有するガスストリームｂを残し、
ｃ）ガスストリームｂを乾燥して、塩化水素、塩素、酸素、二酸化炭素及び場合により不活性ガスを含有するほぼ水を含まないガスストリームｃを残し、
ｄ）任意に、ガスストリームｃを圧縮及び冷却し、圧縮または冷却、あるいは圧縮及び冷却されたガスストリームｃを供給し、
ｅ）カラムＫ１の下部にガスストリームｃを導入し、かつ同じカラムＫ１の上部に分離的に供給された液体の塩化水素ストリームｅを導入し、上昇するガスストリームｃと下降する液体ストリームｅとを接触させるとともに、ストリームｃからガス状の塩素を凝縮しかつストリームｅから液体の塩化水素を気化して、塩化水素、酸素、二酸化炭素及び場合により不活性ガス、を含有するほぼ塩素を含まないガスストリームｅ１及び塩素を含有する液体ストリームｅ２を供給し、液体ストリームｅ２を第２カラムＫ２に供給し、かつ塩化水素を含有する分離されたガスストリームＶＩとほぼ塩素からなる液体ストリームｅ５とストリームｅ４とをカラムＫ１の下部に供給し、カラムＫ１よりもカラムＫ２が高圧で操作され、
ｆ）塩化水素、酸素、二酸化炭素及び場合により不活性ガスを含有するほぼ塩素を含まないガスストリームｅ１の少なくとも一部を酸化段階ａ）に再循環する、
ことを特徴とする方法。
【請求項１５】
カラムＫ１からのストリームｅ１及びカラムＫ２からの任意のストリームｅ４を熱交換器内で用いて、酸素及び塩素を含有するガスストリームｃを予め冷却することを特徴とする請求項１４に記載の方法。
【請求項１６】
酸素及び塩素を含有するガスストリームｃを熱交換器の液体塩化水素で予め冷却することを特徴とする請求項１４または１５に記載の方法。
【請求項１７】
塩化水素を含有するストリームｅ１及び任意に塩化水素を含有するストリームｅ４を当該方法の酸化工程ａ）に供給することを特徴とする請求項１４〜１６のいずれか１項に記載の方法。
【請求項１８】
塩化水素を含有するストリームまたはストリームｅ１、及び不活性ガスを排出するために酸化工程に導入される前に任意にストリームｅ４から副ストリームを分離することを特徴とする請求項１７に記載の方法。
【請求項１９】
不活性ガスを排出する副ストリームを水または水性塩化水素でスクラブして塩化水素を分離することを特徴とする請求項１７に記載の方法。
【国際調査報告】
2014510009.tif 000017
2014510009.tif 000018
2014510009.tif 000019
2014510009.tif 000020
2014510009.tif 000021
2014510009.tif 000022